(57)【要約】      （修正有）【課題】鉄骨造建築に関して、材料費や人件費のコストダウン及び、建築工期の短縮が可能となれば建築費が低コストになり、更に低コストのもとに建築基準法上の準防火地域、防火地域に対応できる建築物や、低コストで容易に防寒対策が可能となる建築物ができるようにすることを課題とする。【解決手段】鉄骨造建築の鉄骨コラム２に、Ｃチャンより安価で難燃材料の軽鉄（亜鉛メッキ）を、Ｃチャンの代わりに支柱（間柱）６として立てて溶接し、防水紙５を張った上に不燃、若しくは不燃に準ずる外壁４を張り鉄骨を被覆すれば、低コストで建築基準法上の準防火地域、防火地域にも対応できる建築物となる。【選択図】図３
0003137826.tif 000002
【実用新案登録請求の範囲】
【請求項１】
従前の鉄骨建築は、鉄骨コラムにＣチャンを溶接し、外壁を張る工法だったが、難燃材料で、軽く柔らかく酸化しにくく安価な軽鉄（亜鉛メッキ）を、Ｃチャンの代わりに支柱（間柱）に使用することにより、Ｃチャンより低コストで材料が入荷できるため、材料費のコストダウンができることを特徴とする低コスト軽鉄鉄骨造建築。
【請求項２】
鉄骨建築の天井や間仕切りに木材を使わず、軽量で切断し易く、木工工事よりも加工や溶接が容易な軽鉄（亜鉛メッキ）を使用することによって工期の短縮が図れ、人件費のコストダウンができることを特徴とする請求項１記載の低コスト軽鉄鉄骨造建築。
【請求項３】
Ｃチャンの代わりに、軽鉄（亜鉛メッキ）を支柱（間柱）として立て溶接し、防水紙を張った上に不燃、若しくは不燃に準ずる外壁を張り鉄骨を被覆すれば、低コストで建築基準法上の準防火地域、防火地域に対応できる建築物になることを特徴とする請求項２記載の低コスト軽鉄鉄骨造建築。
【請求項４】
軽鉄（亜鉛メッキ）をＣチャンの代わりに支柱（間柱）として使用することにより、薄い軽鉄（亜鉛メッキ）は重ねて立てることができるため、断熱材の重ね張りが可能となり、安価な断熱材の増量により容易に防寒対策ができることを特徴とする請求項３記載の低コスト軽鉄鉄骨造建築。
【考案の詳細な説明】
【技術分野】
【０００１】  本考案は、鉄骨建築費が低コストになり、更に低コストのもとに建築基準法上の準防火地域、防火地域に対応できる建築物や、容易に低コストで防寒対策が可能となる鉄骨造建築工法に関する。
【背景技術】
【０００２】  従来、鉄骨造建築は材料費が高い上に工期が長く、準防火地域、防火地域においては尚更のこと建築費が高額になってしまい、防寒対策をすれば更に費用が加算でしまう。【０００３】  しかし、鉄骨造建築の鉄骨コラムに、難燃材料で、軽く柔らかく酸化しにくい軽鉄（亜鉛メッキ）を、Ｃチャンの代わりに支柱（間柱）として立てて溶接し、防水紙を張った上に不燃、若しくは不燃に準ずる外壁を張り鉄骨を被覆すれば、低コストで、建築基準法上の準防火地域、防火地域にも対応できる建築物となる。軽鉄（亜鉛メッキ）は、Ｃチャンより低コストで入荷できるため、材料費のコストダウンが可能となる。【０００４】  更に、安価で難燃材料の軽鉄（亜鉛メッキ）は、軽量で切断し易く、木工工事よりも加工や溶接が容易なので、軽鉄（亜鉛メッキ）を木材の代わりに天井や間仕切りに使用することにより、工期の短縮、人件費や材料費のコストダウンが可能となる。
図１は、従前のＣチャンに外壁を張る工法を示し、図２は、本考案の軽鉄（亜鉛メッキ）を支柱（間柱）として３０３もしくは４５５の間隔で立てて溶接し外壁を張る工法の一例を示したものであり、図３は、断熱材を張り石膏ボードで被覆し、防水紙を張った上に外壁を張った鉄骨造建築の断面図の一例を示したものである。【０００５】  又、軽鉄（亜鉛メッキ）をＣチャンの代わりに支柱（間柱）として使用することにより、薄い軽鉄（亜鉛メッキ）は重ねて立てることができるため、断熱材の重ね張りが可能となり、安価な断熱材の増量により容易に防寒対策ができるようになる。【０００６】  次に、支柱（間柱）が軽鉄（亜鉛メッキ）であれば、図４のように２階以上の床面に波型プレートを施しコンクリートを流し込むことが可能となり、階下の音が響きにくく、音が木造の床の４分の１以下となる。【０００７】  但し、図５のように窓枠は、９１０以下の場合は補強不要であるが、９１０以上は補強が必要となる。【０００８】  小屋組は角材を乗せ、図６のように勾配に応じてボルトにてキン結する。従来通り、法２２条の不燃材（瓦等）で覆う。【０００９】  しかし、屋根（小屋組）を木材で作ることにより、勾配が４寸、６寸、カネ勾配、寄棟等色々なデザインの変化に対応が可能となる。【００１０】  そして、構造上鉄骨造りの為、木造の耐用年数をはるかに超える建築物となる。【００１１】  更に、鉄骨造りの為、どのような壁（たとえば曲線や、図７のようにＲのついた壁）にも対応ができ、将来家族計画が変わり間取りを変えるようなことが生じても、柱が耐用年数の長い鉄骨のため低コストにて改築ができるようになる。【００１２】  但し、構造計算は、柱通りにて計算でき、積雪加重及び風圧に対しても、小屋ボルトを増加することにより耐えることができる。
【考案の開示】
【考案が開発しようとする課題】
【００１３】  上述の如く、鉄骨造建築は材料費が高い上に工期が長く、準防火地域、防火地域においては尚更のこと建築費が高額になってしまい、防寒対策をすれば更に費用が加算でしまう。
【００１４】  よって、鉄骨造建築の従来技術に係るＣチャン、天井、間仕切りは、安価で難燃材料で、軽量で切断し易く、木工工事よりも加工や溶接が容易な軽鉄（亜鉛メッキ）の活用を必要とする。
【００１５】  本考案は、このような点を鑑みて成されたものであり、その目的は、建築工期が短く安価になり、強いては低コストで建築基準法上の準防火地域、防火地域に対応できる建築物となり、防寒に対しても、容易に安価で防寒対策ができるようにすることにある。
【００１６】  上記の目的を達成する鉄骨造建築に、軽量で切断し易く、木工工事よりも加工や溶接が容易で安価で入荷でき、更に難燃材料の軽鉄（亜鉛メッキ）を使用したことを特徴とする。
【００１７】  一例として、前記の鉄骨造建築の鉄骨コラムに、Ｃチャンの代わりに軽鉄（亜鉛メッキ）を支柱（間柱）として立てて溶接し、又、軽鉄（亜鉛メッキ）を木材の代わりに天井や間仕切りに使用することにより、工期の短縮、人件費や材料費のコストダウンが期待できる。
【００１８】  以上説明したように本考案によれば、軽量で切断し易く、木工工事よりも加工や溶接が容易で、Ｃチャンより安価な難燃材料の軽鉄（亜鉛メッキ）を、Ｃチャンの代わりに支柱（間柱）として立てて溶接したり、木材の代わりに天井や間仕切りに使用したりすることで、工期の短縮、人件費や材料費のコストダウンを容易にすること等に極めて有効である。
そして、鉄骨造建築の鉄骨コラムに、Ｃチャンの代わりに軽鉄（亜鉛メッキ）を支柱（間柱）として立てて溶接し、防水紙を張った上に不燃、若しくは不燃に準ずる外壁を張り鉄骨を被覆すれば、低コストのもとに建築基準法上の準防火地域、防火地域に対応できる建築物となる。
更に、軽鉄（亜鉛メッキ）をＣチャンの代わりに支柱（間柱）として使用することにより、薄い軽鉄（亜鉛メッキ）は重ねて立てることができるため、断熱材の重ね張りが可能となり、安価な断熱材の増量により容易に防寒対策ができるようになる。
【考案を実施するための最良の形態】
【００１９】  以下、本考案の実態の形態を図面に基づき説明する。【００２０】  図１は従前の鉄骨造建築で、鉄骨コラムにＣチャンを溶接し、外壁を張る工法の断面図と外観斜視図であり、図２〜図７は本考案の第１の実施の形態に係り、図２は断面図と外観斜視図、図３と図７は断面図、図４、図５、図６、はその外観斜視図である。【００２１】  図１に示すように、従前の鉄骨コラムにＣチャンを溶接し、外壁を張る工法の断面図と外観斜視図である。【００２２】  図２は、本考案の軽鉄（亜鉛メッキ）を支柱（間柱）として３０３もしくは４５５の間隔に立てて溶接し外壁を張る工法の一例を示したものである。鉄骨造建築の鉄骨コラムに、Ｃチャンの代わりに軽鉄（亜鉛メッキ）を支柱（間柱）として立てて溶接し、防水紙を張った上に不燃、若しくは不燃に準ずる外壁を張り鉄骨を被覆すれば、低コストで建築基準法上の準防火地域、防火地域にも対応できる建築物となる。
更に、軽量で切断し易く、加工や溶接が容易で、Ｃチャンより安価な難燃材料の軽鉄（亜鉛メッキ）を、Ｃチャンの代わりに支柱（間柱）として立てて溶接したり、木材の代わりに天井、間仕切りに使用したりすることで、工期の短縮、人件費や材料費のコストダウンを容易にすること等に極めて有効である。
従来、鉄骨造建築は、材料費が高い上に工期が長く、建築コストが高額になっているのが現状である。それらを解決できるのが本考案である。【００２３】  図３は、断熱材を張り石膏ボードで被覆し、防水紙を張った上に外壁を張った断面図の一例を示したものである。【００２４】  図４は、２階の床面に波型プレートを施し、コンクリートを流し込んだ外観斜視図の一例を示したものである。支柱（間柱）が軽鉄（亜鉛メッキ）であれば、図４のように２階以上の床面に波型プレートを施しコンクリートを流し込むことが可能となり、階下の音が響きにくく、音が木造の床の４分の１以下となる。【００２５】  図５は、窓枠の外観斜視図であり、９１０以下の場合は補強不要で、９１０以上は補強が必要となる。【００２６】  図６は、小屋組の外観斜視図であり、小屋組は角材を乗せ、勾配に応じてボルトにてキン結する。従来通り、法２２条の不燃材（瓦等）で覆う。【００２７】  図７のように、鉄骨造りのためＲのついた壁のように、どのような壁でも対応できる。
【産業上の利用可能性】
【００２８】  本考案は、建築販売するハウスメーカーの産業分野で利用することができる。
【図面の簡単な説明】
【００２９】
【図１】  従前の鉄骨コラムにＣチャンを溶接し、外壁を張る工法の断面図と外観斜視図である。
【図２】  本考案の軽鉄（亜鉛メッキ）を支柱（間柱）として、３０３もしくは４５５の間隔で立てて溶接し外壁を張る工法の一例を示した断面図と外観斜視図である。
【図３】  断熱材を張り石膏ボードで被覆し、防水紙を張った上に外壁を張った断面図の一例を示したものである。
【図４】  ２階部分の床面に波型プレートを施しコンクリートを流し込んだ外観斜視図の一例を示したものである。
【図５】  窓枠の外観斜視図であり、９１０以下の場合は補強不要で、９１０以上は補強が必要となる。
【図６】  小屋組の外観斜視図であり、小屋組は角材を乗せ、勾配に応じてボルトにてキン結する。従来通り、法２２条の不燃材（瓦等）で覆う。
【図７】  鉄骨造りのため、Ｒのついた壁のように、どのような壁でも対応できる断面図の一例を示したものである。
【符号の説明】
【００３０】１→Ｃチャン
２→鉄骨コラム
３→溶接
４→外壁
５→防水紙
６→軽鉄（亜鉛メッキ）の支柱（間柱）
７→断熱材
８→石膏ボード
９→ボルト
１０→Ｈ鋼
１１→地中バリ
１２→ＧＬ
１３→コンクリート
１４→波型プレート
１５→タル木
１６→木角材
１７→Ｒのついた壁
【図１】
0003137826.tif 000003
【図２】
0003137826.tif 000004
【図３】
0003137826.tif 000005
【図４】
0003137826.tif 000006
【図５】
0003137826.tif 000007
【図６】
0003137826.tif 000008
【図７】
0003137826.tif 000009